(57)【要約】【課題】本発明は、黒色のトナー像が形成される担持体と、黒色以外の色のトナー像が形成される他の担持体とを含む、複数の担持体の交換時期（寿命）の差を小さくできる画像形成装置の提供を目的とする。【解決手段】画像形成装置は、担持体、帯電装置、露光装置、各色のトナーを用いて前記潜像を現像する現像装置、及び、前記担持体に接触し転写されずに前記担持体に残った残トナーを除去する除去部をそれぞれ有する複数のトナー像形成装置３１Ｙ、３１Ｃ，３１Ｍ、３１Ｋと、前記担持体に現像された各色のトナー像を媒体に転写する転写装置と、を備え、複数の前記現像装置のうちの１つは黒色のトナーを用いて黒色のトナー像として現像し、残りは黒色以外の色のトナーを用いて黒色以外の色のトナー像として現像し、前記黒色のトナー像が形成される前記担持体の帯電能αは、他の前記担持体の帯電能αよりも高い。【選択図】図１Ｂ
2018116143.tif 000002
【特許請求の範囲】
【請求項１】
軸周りに回転し潜像を担持する担持体、前記担持体を帯電させる帯電装置、前記帯電装置により帯電された前記担持体に露光して潜像を形成する露光装置、各色のトナーを用いて前記潜像を各色のトナー像として現像する現像装置、及び、前記担持体に接触し転写されずに前記担持体に残った残トナーを除去する除去部をそれぞれ有する複数のトナー像形成装置と、
前記複数のトナー像形成装置のそれぞれで前記担持体に現像された各色のトナー像を媒体に転写する転写装置と、
を備え、
複数の前記現像装置のうちの１つは黒色のトナーを用いて前記潜像を黒色のトナー像として現像し、残りは黒色以外の色のトナーを用いて前記潜像を黒色以外の色のトナー像として現像し、
前記担持体を定められた表面電位にするために前記担持体に流れる電流で前記表面電位を除した値を帯電能と定義した場合、前記黒色のトナー像が形成される前記担持体の帯電能は、前記黒色以外の色のトナー像が形成される他の前記担持体の帯電能よりも高い、
画像形成装置。
【請求項２】
前記帯電装置は、前記担持体に接触しながら放電して前記担持体を帯電させる帯電部材を含んで構成されている、
請求項１に記載の画像形成装置。
【請求項３】
前記担持体は、単層型の有機感光体とされている、
請求項１又は２に記載の画像形成装置。
【発明の詳細な説明】
【技術分野】
【０００１】
本発明は、画像形成装置に関する。
【背景技術】
【０００２】
例えば、特許文献１には、電子写真方式の画像形成装置であって、それぞれが感光体１１を含む複数の画像形成部１０Ｙ，１０Ｍ，１０Ｃ，１０Ｋと、中間転写ベルト３０とを備えたタンデム型の画像形成装置１が開示されている。
【先行技術文献】
【特許文献】
【０００３】
【特許文献１】特開２０１６−２１２２０９号公報
【発明の概要】
【発明が解決しようとする課題】
【０００４】
ところで、担持体（感光体の一例）は、その製造過程で後述する帯電能（感光体の性能の１つ）のばらつきが生じることが知られている。そして、帯電能がばらつくことで担持体の寿命もばらついてしまう。その結果、例えば、特許文献１に開示されているタンデム型の画像形成装置１の場合、複数の画像形成部１０Ｙ，１０Ｍ，１０Ｃ，１０Ｋの交換時期は、各画像形成部を構成する感光体１１の帯電能に起因してばらついてしまう。また、一般的に、特許文献１のような、カラー画像と、モノクロ（黒色）画像とを形成可能な画像形成装置の場合、カラー画像よりもモノクロ画像を形成する頻度、回数等が多いことから、黒色のトナー像が形成される担持体は、他の担持体に比べて、使用頻度に起因する膜減り量が多い。
【０００５】
本発明は、黒色のトナー像が形成される担持体と、黒色以外の色のトナー像が形成される他の担持体とを含む、複数の担持体の交換時期（寿命）の差を小さくできる画像形成装置の提供を目的とする。
【課題を解決するための手段】
【０００６】
本発明の第１の画像形成装置は、軸周りに回転し潜像を担持する担持体、前記担持体を帯電させる帯電装置、前記帯電装置により帯電された前記担持体に露光して潜像を形成する露光装置、各色のトナーを用いて前記潜像を各色のトナー像として現像する現像装置、及び、前記担持体に接触し転写されずに前記担持体に残った残トナーを除去する除去部をそれぞれ有する複数のトナー像形成装置と、前記複数のトナー像形成装置のそれぞれで前記担持体に現像された各色のトナー像を媒体に転写する転写装置と、を備え、複数の前記現像装置のうちの１つは黒色のトナーを用いて前記潜像を黒色のトナー像として現像し、残りは黒色以外の色のトナーを用いて前記潜像を黒色以外の色のトナー像として現像し、前記担持体を定められた表面電位にするために前記担持体に流れる電流で前記表面電位を除した値を帯電能と定義した場合、前記黒色のトナー像が形成される前記担持体の帯電能は、前記黒色以外の色のトナー像が形成される他の前記担持体の帯電能よりも高い。
【０００７】
本発明の第２の画像形成装置は、さらに、前記帯電装置は、前記担持体に接触しながら放電して前記担持体を帯電させる帯電部材を含んで構成されている。
【０００８】
本発明の第３の画像形成装置は、さらに、前記担持体は、単層型の有機感光体とされている。
【発明の効果】
【０００９】
本発明の画像形成装置は、黒色のトナー像が形成される担持体と、黒色以外の色のトナー像が形成される他の担持体とを含む、複数の担持体の交換時期（寿命）の差を小さくできる。
【図面の簡単な説明】
【００１０】
【図１Ａ】本実施形態の画像形成装置を正面側から見た概略図である。
【図１Ｂ】本実施形態の画像形成装置を構成する単色ユニットの条件をまとめた表である。
【図２】本実施形態の画像形成装置を構成する感光体及びその周辺部分を正面側から見た概略図である。
【図３】感光体の帯電能の製造ばらつきの個数分布を示すグラフである。
【図４】各感光体に対するクリーニングブレードの接触圧力が同一の場合における、複数の感光体の印刷枚数と、感光体の磨耗量との関係を示すグラフである。
【図５】本実施形態の画像形成装置を構成する制御装置と、画像形成装置を構成する各構成要素との関係を示すブロック図である。
【図６】実施例の条件を示す表である。
【図７】比較例の条件を示す表である。
【図８】実施例及び比較例の実験結果をまとめた表である。
【発明を実施するための形態】
【００１１】
＜概要＞
以下、本実施形態の画像形成装置１０（図１Ａ参照）の構成、画像形成動作、効果、実施例及び変形例について、図面を参照しつつこれらの記載順で説明する。
【００１２】
以下の説明では、図中における矢印Ｆｒ及び矢印Ｒｒで示す方向をそれぞれ装置奥行き方向手前側及び奥側、矢印Ｒ及び矢印Ｌで示す方向をそれぞれ装置幅方向右側及び左側、矢印Ｕ及び矢印Ｌｏで示す方向をそれぞれ装置高さ方向上側及び下側とする。また、本明細書では、画像形成装置１０を装置奥行き方向手前側から見た状態を画像形成装置１０の正面として説明する。
【００１３】
＜画像形成装置の構成＞
画像形成装置１０は、図１Ａに示されるように、給紙カセット２０と、トナー像形成ユニット３０と、転写装置４０と、搬送装置５０と、定着装置６０と、制御装置ＣＵと、電源ＰＳと、を含んで構成される電子写真方式の装置とされている。また、本実施形態の画像形成装置１０は、後述する単色ユニット３１Ｙ、３１Ｃ、３１Ｍ、３１Ｋ及び転写装置４０によりカラーの画像を形成する、中間転写方式のタンデム型電子写真装置とされている。
【００１４】
給紙カセット２０は、媒体Ｓを収容する機能を有する。
【００１５】
トナー像形成ユニット３０は、帯電、露光、現像の各工程を行って、後述するベルトＴＢに保持させるトナー像を形成する機能を有する。トナー像形成ユニット３０は、それぞれ各色（Ｙ（イエロー）、Ｃ（シアン）、Ｍ（マゼンタ）、Ｋ（ブラック（黒色））のトナー像を形成する単色ユニット３１Ｙ、３１Ｃ、３１Ｍ、３１Ｋで構成されている。各単色ユニット３１Ｙ、３１Ｃ、３１Ｍ、３１Ｋは、図１Ａに示されるように、装置幅方向（直線方向の一例）に沿って並べられている。各単色ユニット３１Ｙ、３１Ｃ、３１Ｍ、３１Ｋは、図１Ａに示されるように、それぞれ、感光体ＰＣ（担持体の一例）と、帯電装置３２と、露光装置３４と、現像装置３６と、除電装置３７と、クリーニングブレード３８（除去部の一例）と、を有している。ここで、単色ユニット３１Ｙ、３１Ｃ、３１Ｍ、３１Ｋは、それぞれトナー形成装置の一例である。また、トナー像形成ユニット３０は、複数のトナー像形成装置の一例である。なお、各単色ユニット３１は、それぞれ、画像形成装置１０の本体に着脱可能な交換部品とされている。
【００１６】
感光体ＰＣは、ドラム状とされ、露光装置３４により形成される潜像を担持しながら、駆動源（図示省略）により駆動されて正面側から見て時計回りに回転する（軸周りに回転する）ようになっている。本実施形態の感光体ＰＣは、一例として単層型の有機感光体とされている。すなわち、本実施形態の感光体ＰＣは、いわゆる正帯電型の感光体とされている。なお、図２中の符号Ｒｔ（他の図面も同じ）は、感光体ＰＣの回転方向を示している。
【００１７】
帯電装置３２は、電源ＰＳから電圧を印加されながら、感光体ＰＣを帯電させる機能を有する。なお、本実施形態の帯電装置３２は、図１Ａ及び図２に示されるように、感光体ＰＣに接触しながら感光体ＰＣに従動されて、感光体ＰＣに放電して感光体ＰＣを帯電させる帯電ローラー３２Ａ（帯電部材の一例）を含んで構成されている。
【００１８】
現像装置３６は、各色のトナーを用いて露光装置３４により感光体ＰＣに形成された潜像をトナー像として現像する機能を有する。現像装置３６は、感光体ＰＣに対向し、軸周りに回転する現像ローラー３６Ａを有し（図１Ａ及び図２参照）、その外周に付着したトナーを用いてトナー像を現像するようになっている。また、現像装置３６は、現像ローラー３６Ａに電源ＰＳから直流電圧に交流電圧が重畳された電圧が印加されることで、現像ローラー３６Ａの外周のトナーＴ（図２参照）を感光体ＰＣに飛翔させて移動させるようになっている。
【００１９】
除電装置３７は、転写位置（感光体ＰＣがベルトＴＢと接触する位置）を通過した感光体ＰＣに光を照射して感光体ＰＣを除電する機能を有する。
【００２０】
各クリーニングブレード３８は、ベルトＴＢに転写されずに感光体ＰＣに残った残トナー（ベルトＴＢに転写されずに感光体ＰＣに付着したままのトナー）を感光体ＰＣから除去する機能を有する。各クリーニングブレード３８は、長尺な板状のゴムで構成されており、その短手方向の一端側のエッジを感光体ＰＣに接触させた状態で、感光体ＰＣからトナーを除去するようになっている（図１Ａ及び図２参照）。なお、各クリーニングブレード３８における各感光体ＰＣに対する線圧（ｇｆ／ｃｍ）は、一例として、同等とされている。ここで、線圧とは、クリーニングブレード３８の長手方向（感光体ＰＣの軸方向）において、単位長さ当たりの接触部分にかかる力を意味する。
【００２１】
トナー像形成ユニット３０を構成する帯電ローラー３２Ａ、現像装置３６、除電装置３７及びクリーニングブレード３８は、正面側から見て、感光体ＰＣの周りに、これらの記載順で時計回りに配置されている（図２参照）。露光装置３４は、感光体ＰＣにおける帯電ローラー３２Ａと現像装置３６との間で潜像を形成するようになっている。なお、図１Ａでは、単色ユニット３１Ｙ以外の単色ユニット３１Ｃ、３１Ｍ、３１Ｋの符号が省略されている。
【００２２】
ここで、本実施形態では、黒色のトナー像が形成される感光体ＰＣ（単色ユニット３１Ｋの感光体ＰＣ）の帯電能αは、他の感光体ＰＣ（単色ユニット３１Ｙ、３１Ｃ、３１Ｍの感光体ＰＣ）、別言すれば、黒色以外の色のトナー像が形成される感光体ＰＣの帯電能αよりも高い。帯電能αとは、感光体ＰＣを定められた表面電位Ｖ０にするために感光体ＰＣに流れる電流Ｉｄｃで表面電位Ｖ０を除した値を意味する。すなわち、帯電能αは、以下の式１で表される。
（式１）      α＝Ｖ０／Ｉｄｃ
帯電能αは、式１に示されるように、例えば、複数の感光体ＰＣを同じ表面電位Ｖ０に帯電するために必要な電流Ｉｄｃによって定められる値である。電流Ｉｄｃの大きさが大きいほど、帯電能αは小さくなる。そして、帯電能αが小さいほど表面電位Ｖ０に帯電するための電流が必要となり、帯電能αは低いとされている。また、帯電能αが低い感光体ＰＣほど、表面電位を表面電位Ｖ０とするために流す電流Ｉｄｃが多くなる。具体的には、本実施形態の場合、帯電ローラー３２Ａから放電により感光体ＰＣに流す電流が多くなる。そのため、帯電能αが低い感光体ＰＣほど、放電による表層の機械的強度が低下して磨耗し易くなる（図４参照）。以上より、帯電能αが低い感光体ＰＣほどトナー像形成動作時に磨耗し易いといえる。
【００２３】
また、本実施形態では、各単色ユニット３１の感光体ＰＣの帯電能αは、製品出荷時以前（例えば、感光体ＰＣの製造後、各単色ユニット３１の組立時前）に測定されるようになっている。ここで、図３のグラフは、複数の感光体ＰＣを製造した場合において、感光体ＰＣの帯電能αの製造ばらつき（及び帯電能αによるグループ）を示すグラフである。図３のグラフに示されるように、感光体ＰＣの帯電能αの製造ばらつきは、基本的に、いわゆる正規分布に準じたばらつきを有している。本実施形態の場合、黒色のトナー像が形成される感光体ＰＣ（単色ユニット３１Ｋの感光体ＰＣ）は、例えば、図３中のＡＧ（Ａグループ）の帯電能αを有する感光体ＰＣとされている（図１Ｂ参照）。これに対して、他の感光体ＰＣ（単色ユニット３１Ｙ、３１Ｃ、３１Ｍの感光体ＰＣ）は、例えば、図３中のＤＧ（Ｄグループ）の帯電能αを有する感光体ＰＣとされている（図１Ｂ参照）。すなわち、本実施形態では、単色ユニット３１Ｋの感光体ＰＣの帯電能αは、単色ユニット３１Ｙ、３１Ｃ、３１Ｍの感光体ＰＣの帯電能αよりも高い。なお、図１Ｂに示されるように、Ａ〜Ｆグループは、これらの記載順で、帯電能αが低くなる。
【００２４】
転写装置４０は、無端状とされるベルトＴＢ及びベルトＴＢに付着した２次転写残りのトナーを除去するクリーニングロール４２を有し、図１Ａにおける矢印Ｘ方向に周回するベルトＴＢにトナー像形成ユニット３０により形成された各色のトナー像を１次転写された各色のトナー像を媒体Ｓに２次転写させる機能を有する。すなわち、転写装置４０は、各単色ユニット３１で各感光体ＰＣに現像された各色のトナー像を媒体Ｓに転写する機能を有する。
【００２５】
搬送装置５０は、給紙カセット２０に収容されている媒体Ｓを搬送経路（図１Ａ中の二点差線Ｐ）に沿って搬送する機能を有する。なお、図１Ａにおける矢印Ｙは、媒体Ｓの搬送方向を意味する。
【００２６】
定着装置６０は、転写装置４０により媒体Ｓに２次転写された各色のトナー像を媒体Ｓに定着させる機能を有する。
【００２７】
制御装置ＣＵは、画像形成装置１０を構成する各部を制御する機能を有する（後述する図５参照）。制御装置ＣＵの機能については、後述する画像形成動作の説明の中で説明する。
【００２８】
＜画像形成動作＞
次に、本実施形態の画像形成装置１０による画像形成動作について図１Ａ、図２及び図５を参照しながら説明する。
【００２９】
外部装置（図示省略）からカラー用の画像データを受け取った制御装置ＣＵは、画像形成装置１０の各部を作動させる（図５参照）。
【００３０】
トナー像形成ユニット３０が作動されると、各単色ユニット３１Ｙ、３１Ｃ、３１Ｍ、３１Ｋでは、駆動源（図示省略）により各感光体ＰＣが軸周りに回転され、各帯電装置３２が各感光体ＰＣを帯電し、各露光装置３４が各感光体ＰＣを露光し、各現像装置３６が各感光体ＰＣの潜像を各色のトナー像として現像する。その結果、各感光体ＰＣに各色のトナー像が形成される。
【００３１】
次いで、転写装置４０及び搬送装置５０が作動されると、トナー像形成ユニット３０により形成された各色のトナー像がベルトＴＢに１次転写される。また、ベルトＴＢに１次転写された各色のトナー像が２次転写されるタイミングに合わせて、搬送装置５０により給紙カセット２０に収容されている媒体Ｓが搬送されて、ベルトＴＢに保持された各色のトナー像が媒体Ｓに２次転写される。各色のトナー像が２次転写された媒体Ｓは、搬送装置５０により定着装置６０に向けて搬送される。
【００３２】
次いで、定着装置６０が作動され、各色のトナー像が２次転写された媒体Ｓが定着装置６０に搬送されると、各色のトナー像が媒体Ｓに定着される（媒体Ｓに（カラー）画像が形成される）。
【００３３】
そして、トナー像が定着された媒体Ｓ（画像が形成された媒体Ｓ）は、搬送装置５０により画像形成装置１０の外に排出されて、カラーの画像形成動作が終了する。
【００３４】
なお、本実施形態の場合、制御装置ＣＵが外部装置（図示省略）からモノクロ用（黒色のみの画像用）の画像データを受け取った場合、単色ユニット３１Ｙ、３１Ｃ、３１Ｍを使用せず（各単色ユニットで各色のトナー像形成を行わずに）、トナー像形成ユニット３０のうちの単色ユニット３１Ｋのみを用いて画像形成動作を行う。すなわち、モノクロの画像形成動作は、この点以外は、カラーの画像形成動作の場合と同様に行われる。
【００３５】
＜効果＞
次に、本実施形態の効果について図面を参照しながら説明する。
【００３６】
例えば、比較形態（後述する比較例（図７参照）に相当）では、単色ユニット３１Ｋの感光体ＰＣ（図７中の感光体４に相当）の帯電能αが、他の感光体（それぞれ、単色ユニット３１Ｙ、３１Ｃ、３１Ｍに対応する感光体１〜３に相当）よりも低く設定されている。そのうえで、後述する実施例と比較例との検討のとおり、例えば、Ａ４サイズの媒体Ｓに、モノクロ印字５万枚とカラー印字１５万枚との合計２０万枚の印字試験を行うと、４本の感光体ＰＣの膜減り量の最大差（最小の膜減り量と最大の膜減り量との差）が１０．５μｍとなっている（後述する図８の表を参照）。
【００３７】
これに対して、本実施形態の場合（後述する実施例（図８参照）に相当）、単色ユニット３１Ｋの感光体ＰＣの帯電能αは、他の感光体ＰＣ（単色ユニット３１Ｙ、３１Ｃ、３１Ｍの感光体ＰＣ）の帯電能α（及び上記比較形態の単色ユニット３１Ｋの感光体ＰＣの帯電能α）よりも高く設定されている。そのため、本実施形態の単色ユニット３１Ｋの感光体ＰＣは、上記比較形態の単色ユニット３１Ｋの感光体ＰＣに比べて、理論的に上記印字試験における膜減り量が少ないはずである。そして、後述する実施例と比較例との検討のとおり、本実施形態の単色ユニット３１Ｋの感光体ＰＣは、上記比較形態の単色ユニット３１Ｋの感光体ＰＣに比べて、実際に上記印字試験後の膜減り量が少ない（後述する図８の表を参照）。その結果、本実施形態の画像形成装置１０は、上記比較形態の場合に比べて、単色ユニット３１Ｋの感光体ＰＣと、他の単色ユニット３１Ｙ、３１Ｃ、３１Ｍの感光体ＰＣとの磨耗量の差を小さくできる（図８参照及び図１２参照）。
【００３８】
以上より、本実施形態の画像形成装置１０は、上記比較形態の場合に比べて、黒色のトナー像が形成される感光体ＰＣと、黒色以外の色のトナー像が形成される他の感光体ＰＣとを含む、複数の感光体ＰＣ（又は複数の単色ユニット３１）の交換時期（寿命）の差を小さくできる。なお、本実施形態の画像形成装置１０のように感光体ＰＣの帯電に帯電ローラー３２Ａを用いる場合、例えば、スコロトロン型の帯電装置を用いる場合に比べて、感光体ＰＣの膜減り速度が大きいために有効と考えられる。また、本実施形態の画像形成装置１０ように、感光体ＰＣが単層型の有機感光体の場合、積層型の有機感光体の場合に比べて、感光体ＰＣの膜減り速度が大きいために有効と考えられる。
【００３９】
＜実施例と比較例とによる検討＞
次に、本実施形態の実施例と、比較例とによる実験について説明する。
【００４０】
〔実施例及び比較例の条件〕
図６は、実施例で用いた感光体ＰＣ（感光体１〜４）の帯電能αを示している。図７は、本実施形態の条件とは異なる条件とされる比較例で用いた感光体ＰＣ（感光体１〜４）の帯電能αを示している。
【００４１】
〔実験の内容〕
ＦＳ−Ｃ５０３０（京セラドキュメントソリューションズ株式会社製のＡ４カラープリンタ）に実施例及び比較例のように設定して、Ａ４サイズの媒体Ｓに、モノクロ印字５万枚とカラー印字１５万枚との合計２０万枚の印字試験を行った。その後、実施例及び比較例の各感光体１〜４における膜減り量（印字試験開始前の膜厚に対する印字試験後の膜厚との差）を測定した。
【００４２】
ここで、帯電ローラーには、エピクロルヒドリンゴムを主成分とするゴムで構成された直径１２ｍｍのものを使用した。また、クリーニングブレードには、ウレタンゴムを主成分とするゴムで構成されたものを使用した。さらに、各感光体には、電荷発生剤（無金属フタロシアニン）５質量部、正孔輸送剤５０質量部、電子輸送剤３５質量部、結着樹脂（粘度平均分子量６７０００）１００質量部を、テトラヒドロフラン８００質量部とともにボールミルにて５０時間混合分散して調整した感光体塗布液を、導電性基板（アルミ素管）上にディップコート法にて塗布し、その後１００℃で４０分間熱風乾燥し得られた、感光層膜厚３６μm（直径３０ｍｍ）のものを使用した。
【００４３】
〔結果〕
結果は、図８の表にまとめた。比較例の場合、４本の感光体ＰＣの膜減り量の最大差が１０．５μｍであった。これに対して、実施例の場合、膜減り量の最大差が３．３μｍであった。
【００４４】
〔考察〕
比較例の場合、４本の感光体ＰＣのうち最も帯電能αが低い感光体を使用頻度の多い黒色のトナー像が形成される感光体４に設定したため、感光体４の膜減り量が他の感光体１〜３の膜減り量に比べて約１０μｍ多かった。これに対して、実施例の場合、４本の感光体ＰＣのうち最も帯電能αが高い感光体を使用頻度の多い黒色のトナー像が形成される感光体４に設定したため、感光体４の膜減り量を比較例の感光体４の膜減り量よりも少なくすることができた。以上の結果、本実施形態の一例である実施例は、本実施形態の条件に含まれない比較例に比べて、最大膜減り量を少なくすることができた。したがって、本実施形態の画像形成装置１０は、比較形態（比較例）の場合に比べて、黒色のトナー像が形成される感光体ＰＣと、黒色以外の色のトナー像が形成される他の感光体ＰＣとを含む、複数の感光体ＰＣ（又は複数の単色ユニット３１）の交換時期（寿命）の差を小さくできることが実験的に立証されたといえる。
【００４５】
以上のとおり、本発明について上記実施形態を例として説明したが、本発明の技術的範囲は上記実施形態に限定されるものではない。例えば、本発明の技術的範囲には、下記のような形態も含まれる。
【００４６】
例えば、本実施形態では、感光体ＰＣの一例を単層型の有機感光体であるとして説明した。しかしながら、感光体ＰＣは、積層型の有機感光体であってもよい。
【００４７】
また、本実施形態の画像形成装置１０は、感光体ＰＣを４つ備えているとして説明した（図１Ａ参照）。しかしながら、複数の感光体ＰＣを備えていれば、感光体ＰＣは４つでなくてもよい。
【００４８】
また、本実施形態では、直線方向の最上流とされる感光体ＰＣを図１ＢのＡグループの帯電能αを有する感光体ＰＣとし、他の感光体ＰＣをＤグループの帯電能αを有する感光体ＰＣとするとして説明した。しかしながら、黒色のトナー像が形成される感光体ＰＣの帯電能αを他の感光体ＰＣの帯電能αよりも高く設定すればよい。例えば、最上流とされる感光体ＰＣを図１ＢのＡグループの帯電能αを有する感光体ＰＣとし、他の感光体ＰＣをＢグループの帯電能αを有する感光体ＰＣとしてもよい。また、最上流とされる感光体ＰＣを図１ＢのＢグループの帯電能αを有する感光体ＰＣとし、他の感光体ＰＣをＣ〜Ｆグループの帯電能αを有する感光体ＰＣとしてもよい。
【符号の説明】
【００４９】
１０          画像形成装置
３０          トナー像形成ユニット（複数のトナー像形成装置の一例）
３１          単色ユニット（トナー像形成装置の一例）
３２          帯電装置
３２Ａ        帯電部材
３６          現像装置
３８          クリーニングブレード（除去部の一例）
４０          転写装置
ＣＵ          制御装置
ＰＣ          感光体（担持体の一例、単層型の有機感光体の一例）
Ｓ            媒体
α            帯電能
【図１Ａ】
2018116143.tif 000003
【図１Ｂ】
2018116143.tif 000004
【図２】
2018116143.tif 000005
【図３】
2018116143.tif 000006
【図４】
2018116143.tif 000007
【図５】
2018116143.tif 000008
【図６】
2018116143.tif 000009
【図７】
2018116143.tif 000010
【図８】
2018116143.tif 000011